(57)【要約】【課題】サイドガーニッシュの意匠厚みが小さいなど、ブラケットを利用した位置決めが困難な場合であっても、このサイドガーニッシュとバンパとの建付け精度を向上させることが可能なバンパとサイドガーニッシュとの取付け構造を提供する。【解決手段】車体４にバンパサポート１を介して取り付けられるバンパ２の端部２ａと、サイドガーニッシュ３の端部３ａとを当接させるように設定されている、バンパとサイドガーニッシュとの取付け構造であって、バンパサポート１には、車両外側に向けて延びた延設部１ａが設けられ、この延設部１ａには、バンパ２の端部２ａとサイドガーニッシュ３の端部３ａとの双方に係止してこれらの両端部２ａ，３ａを互いに当接させる係止手段が設けられている。【選択図】  図２
2014108714.tif 000002
【特許請求の範囲】
【請求項１】
車体にバンパサポートを介して取り付けられるバンパの端部と、サイドガーニッシュの端部とを当接させるように設定されている、バンパとサイドガーニッシュとの取付け構造であって、
前記バンパサポートには、車両外側に向けて延びた延設部が設けられ、
この延設部には、前記バンパの端部と前記サイドガーニッシュの端部との双方に係止してこれらの両端部を互いに当接させる係止手段が設けられていることを特徴とする、バンパとサイドガーニッシュとの取付け構造。
【請求項２】
請求項に１に記載のバンパとサイドガーニッシュとの取付け構造であって、
前記係止手段は、車両外側に向けて突出した凸部と、この凸部の近傍に位置する孔部とを有する係止突起を有しており、
前記バンパおよび前記サイドガーニッシュの両端部のうち、一方の端部の一部分は、前記孔部に係入し、かつ他方の端部の一部分は、前記一方の一部分と前記凸部との間に挟み込まれている、バンパとサイドガーニッシュとの取付け構造。
【発明の詳細な説明】
【技術分野】
【０００１】
本発明は、自動車のバンパとサイドガーニッシュとの取付け構造に関する。
【背景技術】
【０００２】
バンパとサイドガーニッシュとの取付け構造の従来例として、特許文献１に記載のものがある。
同文献に記載の構造においては、自動車のリヤバンパとサイドガーニッシュとを連続した意匠とし、これらリヤバンパとサイドガーニッシュとの両端部を精度よく位置決めしようとするものである。そのための手段として、特許文献１においては、サイドガーニッシュおよびリヤバンパを、サポートやブラケットを利用してそれぞれ個別に車体に取り付けている。その上で、サイドガーニッシュおよびリヤバンパ間の位置のばらつきについては、これらの両部材を係止させることによって小さくしようとしている。
【０００３】
しかしながら、サイドガーニッシュの意匠厚みが小さい場合など、車体側にブラケットを適切に設けることができない場合がある。この場合、車体側への取り付けのない状態で、サイドガーニッシュとリヤバンパとの位置決めを図る必要が生じる。これでは、両者の位置決めが安定しない。また、サイドガーニッシュの厚みが小さいと、このサイドガーニッシュに適切な係止構造を設けることができない。したがって、前記両者の位置決めがより安定しないこととなって、見切り線がばらつき、見栄えが低いものとなる。
【先行技術文献】
【特許文献】
【０００４】
【特許文献１】特開２００８−１７９２４３号公報
【発明の概要】
【発明が解決しようとする課題】
【０００５】
本発明は、前記したような事情のもとで考え出されたものであり、サイドガーニッシュの意匠厚みが小さいなどの理由から、ブラケットを利用したサイドガーニッシュの位置決めが困難な場合であっても、このサイドガーニッシュとバンパとの建付け精度を向上させることが可能なバンパとサイドガーニッシュとの取付け構造を提供することを、その課題としている。
【課題を解決するための手段】
【０００６】
上記の課題を解決するため、本発明では、次の技術的手段を講じている。
【０００７】
本発明により提供されるバンパとサイドガーニッシュとの取付け構造は、車体にバンパサポートを介して取り付けられるバンパの端部と、サイドガーニッシュの端部とを当接させるように設定されている、バンパとサイドガーニッシュとの取付け構造であって、前記バンパサポートには、車両外側に向けて延びた延設部が設けられ、この延設部には、前記バンパの端部と前記サイドガーニッシュの端部との双方に係止してこれらの両端部を互いに当接させる係止手段が設けられていることを特徴としている。
【０００８】
このような構成によれば、次のような効果が得られる。
第１に、たとえばサイドガーニッシュの意匠厚みが小さいなどの理由から、ブラケットなどを用いたサイドガーニッシュの位置決めが困難な場合であっても、バンパサポートを利用してサイドガーニッシュとバンパサポートとの端部の位置決めを適切に図ることができる。
第２に、サイドガーニッシュとバンパとの位置決めは、バンパの取り付けに利用されるバンパサポートを有効に利用して行なわれており、バンパサポートに係止手段を有する延設部を設けるだけの簡易な構成により実現されている。別部材を新たに用いるような必要はない。したがって、低コスト化を実現できる。
第３に、サイドガーニッシュとバンパとの位置決めが、１つの共通の部材（バンパサポート）を利用して図られると、位置決め基準の同一化が達成される。このため、バンパの端部とサイドガーニッシュとの端部の位置合わせ精度をより高くし、バンパとサイドガーニッシュとの見切り隙を一定にするなどして、その外観体裁を良好にすることが可能である。
【０００９】
本発明において、好ましくは、前記係止手段は、車両外側に向けて突出した凸部と、この凸部の近傍に位置する孔部とを有する係止突起を有しており、前記バンパおよび前記サイドガーニッシュの両端部のうち、一方の端部の一部分は、前記孔部に係入し、かつ他方の端部の一部分は、前記一方の一部分と前記凸部との間に挟み込まれている。
【００１０】
このような構成によれば、バンパおよびサイドガーニッシュの端部どうしの位置合わせ精度、とくに係止突起の凸部と孔部との離間方向の位置合わせ精度）をより高めることが可能である。
【００１１】
本発明のその他の特徴および利点は、添付図面を参照して以下に行なう発明の実施の形態の説明から、より明らかになるであろう。
【図面の簡単な説明】
【００１２】
【図１】本発明が適用されるバンパとサイドガーニッシュとの取付け構造の構成部材の一例を示す要部分解概略斜視図である。
【図２】図１に示す構成部材の組立状態における一部の断面構造を示す要部平面断面図である。
【図３】（ａ）〜（ｅ）は、図１に示す構成部材の組立状態における複数箇所の断面構造を示す要部平面断面図である。
【発明を実施するための形態】
【００１３】
以下、本発明の好ましい実施の形態について、図面を参照して具体的に説明する。
【００１４】
図１に示すように、本実施形態の構造を構成する要素として、バンパ２、バンパサポート１、サイドガーニッシュ３があり、本実施形態は、バンパ２の端部２ａとサイドガーニッシュ３の端部３ａとの位置決めをバンパサポート１を利用して図ろうとするものである。
バンパ２は、リヤバンパである。バンパサポート１は、車体４を構成するロアバックパネル４（４Ａ）に対し、ボルト孔１９，４９などを利用して取り付けられ、バンパ２を支持している。サイドガーニッシュ３は、車体４を構成するサイドアウタパネル４Ｂの外方に位置し、バンパ２の端部２ａからホイールアーチまで延びるように取り付けられる。
【００１５】
図２に示すように、バンパ２の端部２ａおよびサイドガーニッシュ３の端部３ａは、車幅方向内方側に突出する端部フランジ２１，３１を有し、これらが互いに当接した状態に設定される。一方、バンパサポート１の車両前後方向の前部側には、車幅方向外方に向けて延びた延設部１ａが設けられている。この延設部１ａや、端部フランジ２１，３１には、複数の係止用の突起や凹部が上下高さ方向に並んで設けられており、図３を参照して後述する構造部Ａ〜Ｅが構築されている。これら係止用の突起や凹部などは、本発明でいう係止手段に相当する。
【００１６】
図３において、構造部Ａにおいては、バンパ２の端部フランジ２１に設けられた係止孔２０ａに、バンパサポート１の延設部１ａに設けられた係止突起１０が係入している。端部フランジ３１には、係止突起１０との干渉を回避するための凹部３０が形成されている。
【００１７】
構造部Ｂは、図２に示されている構造であり、この構造部Ｂにおいては、延設部１ａの前向き面から車両前方に突出した係止突起１８が設けられている。この係止突起１８は、その先端側に車幅方向外方を向いた凸部１８ａを有し、かつ基端側に孔部１８ｂを有している。孔部１８ｂには、バンパ２の端部フランジ２１の一部分が挿通し、かつこの一部分と凸部１８ａとの間に、サイドガーニッシュ３の端部フランジ３１の一部分が挟み込まれている。
【００１８】
構造部Ｃにおいては、サイドガーニッシュ３の端部フランジ３１に設けられた突起部３０ｃが、バンパ２の切欠き凹部２０ｃに係止している。
構造部Ｄにおいては、バンパサポート１の延設部１ａの前向き面に設けられた凸部１０ｄが、車体（サイドアウタパネル４Ｂ）の車両後方を向く面に当接している。また、凸部１０ｄの側面には、バンパ２の端部フランジ２１の先端が当接している。この構造部Ｄにおいては、車両前方への移動規制ならびに車幅方向への移動規制が図られる。
バンパサポート１の延設部１ａ、バンパ２の端縁フランジ２１、およびサイドガーニッシュ３の端縁フランジ３１は、前記以外の箇所においては、構造部Ｅとなっている。この構造部Ｅにおいては、バンパサポート１の延設部１ａが端部フランジ２１，３１の車両後方側に位置し、それらの後方移動を規制している。
【００１９】
次に、本実施形態の作用について説明する。
【００２０】
まず、バンパ２およびサイドガーニッシュ３の移動規制方向を考察すると、構造部Ａにおいては、車幅方向（外方）の規制が図られる。構造部Ｂにおいては、車両前後方向の移動規制が図られる。構造部Ｃにおいては、バンパサポート１は移動規制に寄与していないが、バンパ２およびサイドガーニッシュ３どうしの係止作用による車幅方向の規制、および互いの当接による車両前後方向の規制が図られる。構造部Ｄにおいては、車両前方への移動規制ならびに車幅方向への移動規制が図られる。構造部Ａ，Ｄが組み合わされていることにより、バンパ２の車幅方向の内方側および外方側への双方の移動規制が図られることとなる。また、構造部Ｂ，Ｄの組み合わせにより、端部フランジ２１，３１が車両前後方向において挟み付けられた構造となっている。構造部Ｅにおいては、前述したように、車両後方への移動規制が図られる。
【００２１】
このように、構造部Ａ〜Ｅを組み合わせた構成によれば、バンパ２およびサイドガーニッシュ３の端部２ａ，３ａの車幅方向および車両前後方向のいずれに方向に対しても移動規制がなされ、適切な位置決めを図ることができる。加えて、バンパ２およびサイドガーニッシュ３の位置決めは、１つの共通部材としてのバンパサポート１を利用して図られており、位置決め基準の同一化が達成されている。このことにより、バンパ２とサイドガーニッシュ３との位置合わせ精度が一層高まることとなる。その結果、バンパ２とサイドガーニッシュ３との見切り隙を一定にし、その外観体裁を良好にすることが可能である。
【００２２】
前記した位置決め構造は、バンパ２の取り付けに利用されるバンパサポート１を有効に利用しており、簡易な構成により実現されている。別部材を新たに用いるような必要はない。したがって、低コスト化を図ることができる。サイドガーニッシュ３の意匠厚みが小さいなどの理由から、ブラケットを用いたサイドガーニッシュ３の位置決めが困難な場合であっても、好適に対応することが可能である。
【００２３】
本発明は、上述した実施形態の内容に限定されない。本発明に係るバンパとサイドガーニッシュとの取付け構造の各部の具体的な構成は、本発明の意図する範囲内において種々に設計変更自在である。
【００２４】
本発明でいう係止手段は、バンパサポートに設けられている１つの係止突起が、バンパの端部とサイドガーニッシュの端部との双方に係止した構造のもの（たとえば、図３の構造部Ｂに相当）に限らない。たとえば、バンパサポートに設けられた複数の係止突起のうち、１つの係止突起がバンパに係止し、かつ他の１つの係止突起がサイドガーニッシュに係止している結果、バンパおよびサイドガーニッシュの端部どうしを互いに当接させるようにした構造であってもよく、このような場合も本発明の技術的範囲に包摂される。
【符号の説明】
【００２５】
１  バンパサポート
１ａ  延設部（バンパサポートの）
２  バンパ
２ａ  端部（バンパの）
３  サイドガーニッシュ
３ａ  端部（サイドガーニッシュの）
【図１】
2014108714.tif 000003
【図２】
2014108714.tif 000004
【図３】
2014108714.tif 000005